(57)【要約】【課題】この発明は、燃料電池システムに係り、燃料電池に不純物が混入しにくく、かつ、カソードガス中の水分量を調節することを目的とする。【解決手段】本発明は、加湿器３０を備える燃料電池システムである。加湿器３０は、燃料電池のカソードから排出されるカソードオフガスが流通する加湿室３６を備える。加湿器３０は、燃料電池のカソードへ供給されるカソードガスが流通する被加湿室４０を備える。加湿室３０は、加湿室３６と被加湿室４０との間に水蒸気透過膜３８を備え、加湿室３６から被加湿室４０へ水蒸気透過膜３８を介して水の移行を行う。カソードオフガスを加湿室へ流入させる管路とカソードオフガスを加湿室から流出させる管路を結ぶガス通路４１を備える。ガス通路４１は、ガス循環器３４を備える。【選択図】図２
2007299626.tif 000002
【特許請求の範囲】
【請求項１】
燃料電池のカソードから排出されるカソードオフガスが流通する加湿室と、燃料電池のカソードへ供給されるカソードガスが流通する被加湿室と、前記加湿室と前記被加湿室との間に備えられた水蒸気透過膜とを備え、前記加湿室から前記被加湿室へ前記水蒸気透過膜を介して水の移行を行う加湿器と、
カソードオフガスを加湿室に流入させる管路とカソードオフガスを加湿室から流出させる管路を結ぶガス通路と、
前記ガス通路に備えられ、カソードオフガスを加湿室から流出させる管路からカソードオフガスを加湿室に流入させる管路にガスを流通させるガス流通器と、
を備えることを特徴とする燃料電池システム。
【請求項２】
請求項２記載の燃料電池システムであって、
カソードオフガスを加湿室へ流入させる管路に燃料電池内部のガス圧力を調節する調圧弁を備え、
前記ガス流路は、前記調圧弁と加湿室を結んでカソードオフガスを加湿室に流入させる管路とカソードオフガスを加湿室から流出させる管路を結び、
前記ガス流通器は、前記ガス通路に備えられ、カソードオフガスを加湿室から流出させる管路から前記調圧弁と加湿室を結んでカソードオフガスを加湿室に流入させる管路にガスを流通させることを特徴とする燃料電池システム。
【請求項３】
請求項１ないし２のいずれか１項記載の燃料電池システムであって、
前記ガス流通器はガス流量を変化させる機能を有することを特徴とする燃料電池システム。
【請求項４】
請求項３記載の燃料電池システムであって、
燃料電池の電解質膜に所在する水の量を取得する取得手段と、
前記取得手段で取得された水の量が多いときほど、前記ガス流通器のガス流量を多くし、前記取得手段で取得された水の量が少ないときほど、前記ガス流通器のガス流量を少なくする制御手段と、
を備えることを特徴とする燃料電池システム。
【発明の詳細な説明】
【技術分野】
【０００１】
この発明は、燃料電池システムに係り、特に、加湿器を備えた燃料電池システムに関する。
【背景技術】
【０００２】
従来、例えば、特開２０００−１６４２３１号公報に開示されるように、燃料電池に供給される前のカソードガスを加湿する加湿装置が開示されている。燃料電池では、カソードガスが適度な湿度を有すると、良好な電池性能を得ることができる。したがって、上記従来の加湿装置を用いると、電池の効率を改善することができる。
【０００３】
上記加湿装置は、加湿室と被加湿室とを備えている。被加湿室にはカソードガスが流通する。被加湿室を流通したカソードガスは燃料電池に供給される。そして、燃料電池のカソード側からカソードオフガスが排出される。カソードオフガスは、発電動作に伴って生成された水分を十分に含む。カソードオフガスは加湿室を流通する。上記加湿装置は、カソードオフガス中の水分をカソードガスに加えることができる。さらに、上記加湿装置は、加湿室の入口と出口を結ぶバイパス通路を備え、カソードオフガスを加湿室および/もしくはバイパス通路へ流入させる機能を有する。さらには、バイパス通路へ流入するオフガスの流量を増加させることで、加湿室へ流入するカソードオフガスの流量を減少させる機能を有する。加湿室に流入するカソードオフガスの流量が少なくなると、加湿室から被加湿室へ移行する水分量が少なくなり、カソードガス中の水分量が少なくなる。このため、上記加湿装置は、加湿室へ流入するカソードガスの流量を減少させることで、カソードガスへの加湿を調節することができる。
【０００４】
【特許文献１】特開２０００−１６４２３１号公報
【発明の開示】
【発明が解決しようとする課題】
【０００５】
上記従来の加湿装置では、加湿室へ流入するガス流量を減少させている。しかしながら、加湿室には、加湿室を流通するガスに対する抵抗が所在する。抵抗が存在すると、ガスは加湿室を流通しにくい。よって、上記従来の加湿装置では、加湿室へ流入するカソードオフガスの流量が少なくなると、ガスが加湿室を流通しなくなるおそれがあった。このため、カソードガスへの加湿を十分に調節できないおそれがあった。
【０００６】
この発明は、上述のような課題を解決するためになされたもので、カソードガス中の水分量を調節できる燃料電池システムを提供することを目的とする。
【課題を解決するための手段】
【０００７】
第１の発明は、上記の目的を達成するため、燃料電池システムであって、燃料電池のカソードから排出されるカソードオフガスが流通する加湿室と、燃料電池のカソードへ供給されるカソードガスが流通する被加湿室と、前記加湿室と前記被加湿室との間に備えられた水蒸気透過膜とを備え、前記加湿室から前記被加湿室へ前記水蒸気透過膜を介して水の移行を行う加湿器と、カソードオフガスを加湿室に流入させる管路とカソードオフガスを加湿室から流出させる管路を結ぶガス通路と、前記ガス通路に備えられ、カソードオフガスを加湿室から流出させる管路からカソードオフガスを加湿室に流入させる管路へガスを流通させるガス流通器とを備えることを特徴とする。
【０００８】
第２の発明は、第１の発明記載の燃料電池システムであって、カソードオフガスを加湿室に流入させる管路に燃料電池内部のガス圧力を調節する調圧弁を備え、前記ガス流路は、前記調圧弁と加湿室を結ぶ管路とカソードオフガスを加湿室から流出させる管路を結び、前記ガス流通器は、前記ガス通路に備えられ、カソードオフガスを加湿室から流出させる管路から前記調圧弁と加湿室を結んでカソードオフガスを加湿室に流入する管路へガスを流通させることを特徴とする。
【０００９】
第３の発明は、第１発明ないし第２発明のいずれか１つの発明記載の燃料電池システムであって、前記ガス流通器はガス流量を変化させる機能を有することを特徴とする。
【００１０】
第４の発明は、第３の発明記載の燃料電池システムであって、燃料電池の電解質膜に所在する水の量を取得する取得手段と、前記取得手段で取得された水の量が多いときほど、前記ガス流通器のガス流量を多くし、前記取得手段で取得された水の量が少ないときほど、前記ガス流通器のガス流量を少なくする制御手段とを備えることを特徴とする。
【発明の効果】
【００１１】
第１の明によれば、加湿室から流出するガスを加湿室に流入させるように、ガスを循環させる。このガスの循環を行うと、加湿室内を流通するガスの流速は大きくなる。加湿室内のガスの流速が大きいと、加湿室から被加湿室へ移行する水分量は少ない。よって、被加湿室内を流れるガスに対する加湿量を少なくすることができる。従って、本発明によれば、ガスの循環により、カソードガスの湿度を低くすることができる。  
【００１２】
第２の発明によれば、燃料電池内部のガス圧力を調節する調圧弁を備え、調圧弁のガス下流側でガスの循環が行われる。ガス流通器の動作に伴い、ガス流通器の磨耗によって不純物が生じる場合がある。ガス流通器の磨耗により生じた不純物は、ガスに混入し、ガスに含まれる形で移動する。本発明によれば、調圧弁は、燃料電池内部（調圧弁のガス上流側）のガス圧力を所定の圧に保つために備えられる。そして、調圧弁のガス下流側から燃料電池内部へのガスの流れを抑制する。よって、循環されたガスは、調圧弁で留められ、燃料電池内部にほとんど流れない。このため、本発明の構成によれば、循環器の動作の際に不純物が生成する場合も、不純物の燃料電池内部への混入を顕著に少なくできる。
【００１３】
第３の発明によれば、ガス通路を流れるガスの流量を変化させることより、加湿室から被加湿室へ移行する水分量を変化させることができる。よって、ガス流通器のガス流通量を変化させることで、加湿室内のガスの湿度をきめ細かく調整しやすい。  
【００１４】
第４の発明によれば、電解質膜に所在する水の量を取得し、取得した水の量が多いときほど、循環量を多くする。このとき、加湿室から被加湿室へ移行する水分量は顕著に減少し、カソードガスの湿度を低くすることができる。また、電解質膜に所在する水の量が少ないときほど、循環量を少なくする。このとき、加湿室から被加湿室へ移行する水分量はそれほど少なくならず、カソードガスの湿度を適度に高くすることができる。このため、本発明によれば、電解質膜に所在する水の量を調整しやすい。
【発明を実施するための最良の形態】
【００１５】
実施の形態．
[実施の形態の構成]
図１は、本発明の実施の形態の燃料電池システムの構成を説明するための図である。本実施形態システムは、燃料電池１０を備える。燃料電池１０は、電解質膜１２と、アノード１４と、カソード１６とを備える。ここで用いられる燃料電池は、通常用いられるものを使用し、詳細な説明を省略する。燃料電池のアノード側にはアノード管路系１８が、カソード側にはカソード管路系２０が備えられている。
【００１６】
アノード管路系１８について説明する。アノード管路系１８は、アノードガス源とアノード１４の上流側を結ぶ管路１９を備える。アノード１４の下流側には管路２１を備える。アノード１４の下流の管路２１は２つに分岐する。分岐した管路２１の一方は、排出弁２２を介し、燃料電池システム外部への管路２３に接続される。排出弁２２は、管路２１での不純物が多くなると開弁する機能を有する。分岐した管路２１の他方は、循環器２４を介して、アノード１４上流の管路１９に接続される。循環器２４は、アノード１４の下流側から上流側へガスを循環する。
【００１７】
カソード管路系２０について説明する。カソード管路系２０は、コンプレッサ２６と、カソードガス源とコンプレッサ２６とを結ぶ管路２７を備える。コンプレッサ２６は、管路２９を介して冷却器２８に接続される。冷却器２８は、管路３３より、加湿器３０に接続される。加湿器３０は、管路３５より、カソード１６の上流側に接続される。ここで、加湿器３０は、後に詳細な説明を行う。加湿器３０とカソード１６上流側を結ぶ管路３５に、露点計３１が備えられる。露点計３１は、管路３５中のガスの湿度を測定する。ここで、湿度は、１気圧で１立方メートルに換算した場合にガス中に含まれる水蒸気の量である。露点計３１で測定された湿度は、ＥＣＵ３７に送信される。カソード１６のガス出口は、調圧弁３２の上流側に、管路を介して接続される。調圧弁３２は、調圧弁の上流側の圧力を一定に保つ機能を有する。調圧弁３２の下流側は、加湿器３０を介して、燃料電池システム外部への管路２３に接続される。さらに、加湿器３０の下流側と上流側を結ぶようにガス通路が備えられ、このガス通路には循環器３４が備えられている。
【００１８】
燃料電池システムの動作の際、アノードガス源から、水素ガスが供給される。供給された水素ガスは、アノード１４の上流側に流入する。カソードガス源から、カソードガスとして空気が供給される。カソードガスは、冷却器２８で冷却され、加湿器３０を介し、カソード１６を流れる。カソード１６から排出されるオフガスは、調圧弁３２を介し、加湿器３０を流れる。加湿器３０下流側のガスは、燃料電池システム外部へと排出され得るとともに、循環器３４により、加湿器３０上流側へ循環され得る。燃料電池１０では、アノード１４とカソード１６のそれぞれにガスが供給され、発電動作に伴い、カソード１６で水が生成される。生成された水は、カソード１６から排出されるオフガスに含まれる形で、カソード１６下流側へ排出される。ここで、加湿器３０は、カソード１６のオフガスに含まれる水分を用い、カソードガスを加湿する。
【００１９】
図２は、加湿器３０を拡大した図である。加湿器３０は、加湿室３６と、被加湿室４０に挟まれる形で、水蒸気透過膜３８を備える。水蒸気透過膜３８は、湿度の大きい側から湿度の小さい側へ、水蒸気を選択的に透過させる性質を持つ。加湿室３６の上流側は、調圧弁３２と、調圧弁３２と加湿室を結ぶ管路３９で接続される。加湿室３６の下流側は、燃料電池外部への管路２３と結ばれる。そして、調圧弁３２と加湿室を結ぶ管路３９と、燃料電池システム外部への管路２３とを結ぶように、ガス通路４１が備えられる。ガス通路４１には循環器３４が備えられる。循環器３４は、燃料電池システム外部への管路２３から調圧弁３２と加湿室を結ぶ管路３９の方向へ、ガスを流通させる。循環器３４は、ＥＣＵ３７からの信号に従い、ガス通路４１を流れるガスの循環量を変化させる機能を有している。ここでは、循環器３４は、具体的には、ルーツ式ポンプを用いる。
【００２０】
[実施の形態の作用]
燃料電池システムの動作の際、カソード１６から排出されるオフガスは、調圧弁３２を経て、加湿室３６の上流側に到達し、加湿室３６内を流れる。ここで、オフガスは、燃料電池で生成した水分を含み、十分に湿潤している。加湿室３６内のガスに含まれる水分は、水蒸気透過膜３８により、被加湿室４０へ移行する。被加湿室４０では、カソードガス源から供給されたカソードガスが流通している。加湿室３６から被加湿室４０へ透過された水分は、カソードガスに加えられる。カソードガスは、被加湿室４０を通過し、カソード１６へ供給される。
【００２１】
循環器３４が作動すると、燃料電池システム外部への管路２３のガスはガス通路４１に流入する。ガス通路４１のガスは、循環器３４で付勢され、調圧弁３２と加湿室３６を結ぶ管路３９に流入する。管路３９のガスは、カソード１６のオフガスの流れに伴い、加湿室３６を流通する。そして、加湿室３６を流通したガスは、管路２３から燃料電池外部に排出され得るとともに、管路２３からガス通路４１に流入し得る。つまり、循環器３４が作動すると、加湿室３６の下流側から上流側へ、ガス通路４１内をガスが流通する。
【００２２】
加湿室３６の下流側のガスは、上流側のガスと比較して、加湿室３６で水分の移行が生ずる分、湿度が小さい。湿度の小さいガスが、加湿室３６上流側に循環され、加湿室３６に流入することとなる。よって、循環器３４によるガスの循環中、加湿室３６内部のガスの湿度は低くなる。これより、加湿室３６を流れるガスと被加湿室４０を流れるガスの湿度差は低くなる。このガスの湿度差が小さくなれば、水蒸気透過膜３８を透過する水分量は少なくなる。したがって、加湿室３６から被加湿室４０へ移行する水分量は少なくなり、被加湿室４０内のガスの湿度は低くなる。
【００２３】
循環器３４が作動すると、加湿室３６の下流側から上流側へガスが循環される。これより、加湿室３６へ流入するガスの流速が大きくなり、加湿室３６内を流れるガスの速度が大きくなる。そして、加湿室３６内のガスと水蒸気透過膜３８との接触時間が小さくなる。加湿室３６を流れるガスと水蒸気透過膜３８の接触時間が小さくなれば、水蒸気透過膜３８を透過する水分量は少なくなる。よって、加湿室３６から被加湿室４０へ移行する水分量は少なくなり、被加湿室４０を流通するガスの湿度は低くなる。
【００２４】
[実施の形態の効果]
循環器３４の循環量が多くなるほど、被加湿室４０を流れるガスの湿度は低くなる。被加湿室４０を流通したガスは、燃料電池１０へ供給され、電解質膜１２を湿潤する。よって、循環器３４での循環量を多くすると、電解質膜１２に所在する水の量を少なくすることができる。また、循環器３４の循環量を少なくすると、被加湿室４０を流れるガスの湿度は高くなり、電解質膜１２に所在する水の量を多くすることができる。したがって、循環器３４の循環量を制御することより、電解質膜１２を適度に保湿することができる。
【００２５】
本実施の形態では、カソード１６から排出されるオフガスの循環を行っている。オフガスは、カソード１６から外部に排出される方向に流れ、カソード１６内には流れにくい。よって、循環器の動作の際に不純物が生じる場合でも、循環により生じた不純物がカソード１６内に流れ込みにくい。
【００２６】
本実施の形態では、カソード１６と加湿室３６との間に調圧弁３２を設け、調圧弁３２下流側で、ガスの循環を行っている。循環されたガスは、調圧弁３２の上流側には流れない。よって、循環されたガスは、カソード１６内へ流れ込むことはほとんどない。これより、循環により不純物が生じる場合でも、生じた不純物の燃料電池への混入を顕著に少なくすることができる。
【００２７】
なお、本実施の形態では、加湿器３０は、水蒸気透過膜３８を用いた平膜型加湿器を用いたが、これに限られるものではない。例えば、加湿器３０は、筒状の水蒸気透過膜の内側と外側で水分の移行を行う中空糸加湿器でもよい。
【００２８】
なお、本実施の形態では、循環器３４は、ルーツ式ポンプを用いたが、これに限られるものではなく、一般的に用いられるポンプもしくはコンプレッサであればよい。例えば、スクロール式ポンプでもよい。
【００２９】
なお、循環器３４は、循環量を変化させる機能を有するが、これに限られるものではない。例えば、一定の循環量を循環する循環器でもよい。なお、本実施の形態の循環器３４によって、第１の発明記載のガス流通器が実現される。
【００３０】
[実施の形態の具体的な処理]
図３は、実施の形態１の、ＥＣＵ３７での処理をあらわすフローチャートである。まず、露点計３１のガスの湿度ｙを読み込む（ステップ１００）。本実施形態のシステムでは、上述のとおり、加湿器３０とカソード１６上流側とを結ぶ管路３５に露点計３１が備えられている。露点計３１は、カソード１６に流入するガスの湿度ｙを測定することができる。ここでは、ＥＣＵ３７は、露点計３１によって測定された湿度ｙを取得する。
【００３１】
続いて、湿度ｙと目標値ｒを比較する（ステップ１０２）。ここは、一例として、目標値ｒは、あらかじめ設定された値を用いる。本実施の形態では、カソード１６に流入するガスが望ましい湿度となっていると、電解質膜１２には望ましい水の量が所在し、電解質膜１２は良好な湿潤状態にあると考える。目標値ｒは、電解質膜１２に望ましい水の量が所在する状態に相当する、カソードガス中の湿度をあらわす。
【００３２】
湿度ｙが目標値ｒより大きい場合、つまり、電解質膜１２に所在する水の量が多い場合、循環器３４による循環量を増加させる（ステップ１０４）。上述のとおり、循環器３４の循環量を増加させると、加湿室内のガスの状態が変化し、被加湿室内のガスの湿度は低くなる。よって、循環器３４の循環量を増加することより、カソード１６に供給されるガスの湿度が低くなり、電解質膜１２に所在する水の量を少なくすることができる。
【００３３】
一方、湿度ｙが目標値ｒより大きくない場合、つまり、電解質膜１２に所在する水の量が少ない場合、循環器３４による循環量を減少させる（ステップ１０６）。上述のとおり、循環器３４の循環量を減少させると、加湿室のガスの状態が変化し、被加湿室４０内のガスの湿度は高くなる。よって、循環器３４の循環量を減少させることより、電解質膜１２に所在する水の量を多くすることができる。
【００３４】
以上説明した通り、図３に示すフローチャートによれば、露点計３１での湿度ｙが目標値ｒより大きいか否か比較し、比較結果によって、循環量を増減させることができる。従って、本実施形態のシステムによれば、電解質膜１２に所在する水の量を、望ましい状態となるよう、制御することができる。
【００３５】
本実施の形態では、循環器３４の循環量を制御することより、燃料電池に供給されるカソードガスの湿度を調節することができる。カソードガスは、適切な湿度に加えて、適切な流量を求められる。従来の加湿装置では、カソードガスを循環してカソードガスの湿度を調節しているために、カソードガスの湿度が変わると流量も変わっていた。本実施の形態では、湿度を量と独立に制御することができる。よって、本実施の形態によれば、湿度と流量の双方を適切に制御することが可能である。
【００３６】
なお、本実施の形態では、循環量の増減は、露点計３１での湿度ｙが目標値ｒより大きいか否かを比較して比較結果によって行っているが、これに限られるものではない。電解質膜１２の湿潤状態の望ましい範囲に相当するカソードガスの湿度の範囲を設定し、この湿度の範囲より湿度ｙが大きいほど、循環量を増加させてもよい。この湿度の範囲より湿度ｙが小さいほど、循環量を減少させてもよい。
【００３７】
なお、本実施の形態では、ステップ１０６において、循環器３４の循環量を減少させている。例えば、循環量を零にし、循環を行わない場合が考えられる。循環を行わないときの加湿室３６から被加湿室４０へ移行する水分量は、循環を行うときの被加湿室４０へ移行する水分量より多い。よって、循環を行わないときの電解質膜１２に所在する水の量は、循環を行うときより多くなる。
【００３８】
なお、本実施の形態では、ステップ１０４において、循環量を増加させているが、これに限られるものではない。適度に大きい一定量のガスを循環させてもよい。なお、ステップ１０６において、循環量を減少させているが、これに限られるものではない。適度に小さい一定量のガスを循環させてもよい。
【００３９】
なお、本実施の形態では、循環器３４の流量を調整して制御を行っているが、これに限られない場合でも、十分な効果が得られる。このとき、一例として、循環器３４は一定量のガスを循環する循環器であって、露点計３１は備えられなくてもよい。
【００４０】
なお、本実施の形態では、ステップ１００において、カソードガスの湿度を測定するために、露点計３１を用いているが、これに限られるものではない。一例として、乾湿式湿度センサでもよい。一例として、高分子型湿度センサでもよい。
【００４１】
なお、本実施の形態では、電解質膜に所在する水の量は、燃料電池に供給されるガスの湿度を用いて取得したが、これにかぎられるものではない。電解質膜に所在する水の量を取得できるものであればよい。例えば、電解質膜に所在する水の量は、電解質膜に所在する液体の水の量を取得してもよいし、カソード１６に所在する水蒸気の圧を取得してもよい。
【００４２】
なお、本実施の形態では、電解質膜１２に所在する水の量は、カソードガス中の湿度を測定して取得したが、これに限られるものではない。例えば、燃料電池１０のインピーダンスの測定を用いて取得してもよいし、電解質膜１２のインピーダンスの測定を用いて取得してもよい。燃料電池１０の出力電流や電圧や発電量の測定を用いて取得してもよい。
【００４３】
例えば、電解質膜１２に所在する水の量は、燃料電池が複数のセルを有する場合に、複数のセルの、電圧または電流の少なくとも一方の分布を用いて取得してもよい。より具体的には、燃料電池は、セルが積層されたスタック構造を有している。セルには、それぞれ、電圧計が備えられ、電圧計はセルの起電力を測定する。電圧計で測定した電圧は、それぞれ、ＥＣＵ３７に送信される。ＥＣＵ３７では、それぞれのセルの電圧の時間変化の分布を作成する。
【００４４】
電解質膜が乾燥していると、電解質膜に過度の電圧がかかる。このとき、過度の電圧により、電解質膜中の電解質成分が分解され、電解質膜が短絡する場合がある。電解質膜が短絡すると、セルの電圧は急激に低下する。燃料電池のセルのうち、急激な低下が起こるセルの数で、電解質膜の乾燥状態を推定することができる。よって、それぞれのセルの電圧の時間変化の分布マップから、電解質膜の乾燥状態を推定することができる。
【００４５】
一方、電解質膜が過度に湿潤していると、電解質膜の一部は、局所的に過剰の水を含む。過剰の水を含む電解質膜にはガスの供給が妨げられ、発電反応が妨げられる。発電反応の妨げられた分、セルの電圧が低下する。このとき、セルの電圧が急激に低下することはない。よって、それぞれのセルの電圧の時間変化の分布から、電解質膜の過度の湿潤状態を推定できる。以上より、セルの電圧の時間変化の分布から、電解質膜の湿潤状態を推定することができる。このとき、電圧の代わりに電流を用いて、電解質膜の湿潤状態を推定してもよい。
【図面の簡単な説明】
【００４６】
【図１】図１は、本発明の実施の形態の燃料電池システムの構成を説明するための図である。
【図２】図２は、加湿器３０を拡大した図である。
【図３】図３は、実施の形態のＥＣＵでの処理をあらわすフローチャートである。
【符号の説明】
【００４７】
１０            燃料電池
１２            電解質膜
１４            アノード
１６            カソード
１８            アノード管路系
２０            カソード管路系
２６            コンプレッサ
３０            加湿器
３１            露点計
３２            調圧弁
３４            循環器
３６            加湿室
３８            水蒸気透過膜
４０            被加湿室
４１            ガス通路
【図１】
2007299626.tif 000003
【図２】
2007299626.tif 000004
【図３】
2007299626.tif 000005